(57)【要約】      （修正有）【課題】樋門の開閉扉が樋門に強く打ち付けられることを防止する樋門開閉扉装置を提供する。【解決手段】開閉扉を水平回転軸に揺動自在に支持させてなる樋門開閉扉装置であって、水平回転軸の端部には、水平回転軸と固定されるダンパー用回転軸５１と、ダンパー用回転軸５１の周りに粘性流体を満たすように密封する筒状ケース５２と、筒状ケース５２内を回転方向に対して複数の空間に分ける隔壁と、ダンパー用回転軸５１の長手方向に沿って半径方向に凸設された複数の板状の抵抗翼５４と、抵抗翼５４の厚さ方向に穿孔された流通孔５５と、開閉扉が開く方向に揺動されたときに流通孔５５を開いて粘性流体を流通させて抵抗翼５４への抵抗を低減し、開閉扉が閉まる方向に揺動されたときに流通孔５５を閉じて粘性流体を流通させないで抵抗翼５４への抵抗を保持するように構成された逆流防止開閉蓋５６とを有するダンパー５が設けられている。【選択図】図４
0003149416.tif 000002
【実用新案登録請求の範囲】
【請求項１】
樋門に設置される開閉扉を水平回転軸に揺動自在に支持させてなる樋門開閉扉装置であって、
前記水平回転軸の端部には、
その水平回転軸と一体的に固定されるダンパー用回転軸と、
このダンパー用回転軸の周りに粘性流体を満たすように密封する筒状ケースと、
この筒状ケース内を回転方向に対して複数の空間に分ける隔壁と、
前記ダンパー用回転軸の長手方向に沿って半径方向に凸設された複数の板状の抵抗翼と、
この抵抗翼の厚さ方向に穿孔されており、前記ダンパー用回転軸の回転に応じて前記粘性流体を流通可能にした流通孔と、
前記開閉扉が開く方向に揺動されたときに前記流通孔を開いて粘性流体を流通させて前記抵抗翼への抵抗を低減し、前記開閉扉が閉まる方向に揺動されたときに前記流通孔を閉じて粘性流体を流通させないで前記抵抗翼への抵抗を保持するように構成された逆流防止開閉蓋と
を有するダンパーが設けられている樋門開閉扉装置。
【請求項２】
樋門に設置される開閉扉を水平回転軸に揺動自在に支持させてなる樋門開閉扉装置であって、
前記水平回転軸の端部には、
その水平回転軸と一体的に固定されるダンパー用回転軸と、
このダンパー用回転軸の周りに粘性流体を満たすように密封する筒状ケースと、
この筒状ケース内を回転方向に対して複数の空間に分ける隔壁と、
前記ダンパー用回転軸の長手方向に沿って半径方向に凸設された複数の板状の抵抗翼と、
この抵抗翼の厚さ方向に穿孔されており、前記ダンパー用回転軸の回転に応じて前記粘性流体を流通可能にした流通孔と、
この流通孔内において長手方向に摺動可能に収容される有底筒状に形成されているとともに、その底面をフランジ状に拡げて前記流通孔を閉塞するフランジ状蓋部を備え、かつ、このフランジ状蓋部の近傍の筒状側面に前記粘性流体を流通して抵抗を低減する抵抗低減孔を形成してなる筒状蓋本体と、
前記フランジ状蓋部によって前記流通孔を閉塞する方向に前記筒状蓋本体を付勢する閉塞用付勢バネとを有し、
前記開閉扉が開く方向に揺動されたときに前記閉塞用付勢バネの付勢力に抗して前記フランジ状蓋部を摺動させて前記抵抗低減孔を開放し、粘性流体を流通させることで前記抵抗翼への抵抗を低減し、前記開閉扉が閉まる方向に揺動されたときに前記閉塞用付勢バネの付勢力により前記フランジ状蓋部を摺動させて前記抵抗低減孔を閉塞し粘性流体を流通させないで前記抵抗翼への抵抗を保持するように構成されたダンパーが設けられている樋門開閉扉装置。
【考案の詳細な説明】
【技術分野】
【０００１】
本考案は、樋門の開閉を行う樋門開閉扉装置に関するものである。
【背景技術】
【０００２】
樋門とは、生活排水等を河川に排水するために堤防を横断して設けられる門のことである。従来、この樋門には、河川の水が増水した際に、河川の水が水路側へ逆流するのを防止するために開閉扉が設けられている。
【０００３】
特開平１１−１８１７４８号公報では、樋門に設けられる開閉扉装置として、樋門の頂部に設けられた水平軸に、左右のベルクランク状揺動リンクを回動可能に支承し、該ベルクランク状揺動リンクの端部に、樋門を開閉する開閉扉の頂部を軸着するとともに、該ベルクランク状揺動リンクの立ち上がりアーム部の端部に、前記水平軸周りに前記開閉扉とバランスするバランスウエイトを設け、かつ、前記樋門の中央部に高いブラケットを設け、該ブラケットの頂部に一端を軸着した揺動リンクの他端を、前記開閉扉による前記樋門の閉塞状態における、当該開閉扉の頂部から上方へ、前記ブラケットとほぼ等高に延びる連結片の頂部に軸着したことを特徴とする自動フラップゲートが提案されている（特許文献１）。特許文献１によれば、自動フラップゲートの開閉扉は、モーター等を設置することなく、通常水位の時には適度に開放され、河川水位が異常に上昇した時には、河川の水圧により自動的に閉塞することができる。
【先行技術文献】
【特許文献】
【０００４】
【特許文献１】特開平１１−１８１７４８号公報
【考案の概要】
【考案が解決しようとする課題】
【０００５】
上述した特許文献１は、本件出願人によって権利化されているが、以下のような改良の余地がある。すなわち、バランスウエイトによってウエイト重心の回転モーメントが釣り合ったところで止まっているため、開閉扉が風などの弱い力でも揺動してしまう。したがって、特に河川の水位が下がったときに水路を通って河川に出てくる風の力によって前記開閉扉が大きく開き、その風による揚力がなくなったときに自重による反動で樋門に強く打ち付けられて、大きな衝撃音が発生し、周辺に迷惑をかけてしまうおそれがある。また、その衝撃によって開閉扉や樋門が破損するおそれもある。
【０００６】
本考案は、このような問題点を解決するためになされたものであって、樋門の開閉扉が樋門に強く打ち付けられることを防止する樋門開閉扉装置を提供することを目的としている。
【課題を解決するための手段】
【０００７】
本考案に係る樋門開閉扉装置は、樋門に設置される開閉扉を水平回転軸に揺動自在に支持させてなる樋門開閉扉装置であって、前記水平回転軸の端部には、その水平回転軸と一体的に固定されるダンパー用回転軸と、このダンパー用回転軸の周りに粘性流体を満たすように密封する筒状ケースと、この筒状ケース内を回転方向に対して複数の空間に分ける隔壁と、前記ダンパー用回転軸の長手方向に沿って半径方向に凸設された複数の板状の抵抗翼と、この抵抗翼の厚さ方向に穿孔されており、前記ダンパー用回転軸の回転に応じて前記粘性流体を流通可能にした流通孔と、前記開閉扉が開く方向に揺動されたときに前記流通孔を開いて粘性流体を流通させて前記抵抗翼への抵抗を低減し、前記開閉扉が閉まる方向に揺動されたときに前記流通孔を閉じて粘性流体を流通させないで前記抵抗翼への抵抗を保持するように構成された逆流防止開閉蓋とを有するダンパーが設けられている。
【０００８】
また、本考案に係る樋門開閉扉装置は、樋門に設置される開閉扉を水平回転軸に揺動自在に支持させてなる樋門開閉扉装置であって、前記水平回転軸の端部には、その水平回転軸と一体的に固定されるダンパー用回転軸と、このダンパー用回転軸の周りに粘性流体を満たすように密封する筒状ケースと、この筒状ケース内を回転方向に対して複数の空間に分ける隔壁と、前記ダンパー用回転軸の長手方向に沿って半径方向に凸設された複数の板状の抵抗翼と、この抵抗翼の厚さ方向に穿孔されており、前記ダンパー用回転軸の回転に応じて前記粘性流体を流通可能にした流通孔と、この流通孔内において長手方向に摺動可能に収容される有底筒状に形成されているとともに、その底面をフランジ状に拡げて前記流通孔を閉塞するフランジ状蓋部を備え、かつ、このフランジ状蓋部の近傍の筒状側面に前記粘性流体を流通して抵抗を低減する抵抗低減孔を形成してなる筒状蓋本体と、前記フランジ状蓋部によって前記流通孔を閉塞する方向に前記筒状蓋本体を付勢する閉塞用付勢バネとを有し、前記開閉扉が開く方向に揺動されたときに前記閉塞用付勢バネの付勢力に抗して前記フランジ状蓋部を摺動させて前記抵抗低減孔を開放し、粘性流体を流通させることで前記抵抗翼への抵抗を低減し、前記開閉扉が閉まる方向に揺動されたときに前記閉塞用付勢バネの付勢力により前記フランジ状蓋部を摺動させて前記抵抗低減孔を閉塞し粘性流体を流通させないで前記抵抗翼への抵抗を保持するように構成されたダンパーが設けられている。
【考案の効果】
【０００９】
本考案によれば、樋門の開閉扉が樋門に強く打ち付けられるの防いで、衝撃音の発生や開閉扉や樋門の損傷を防止することができる。
【図面の簡単な説明】
【００１０】
【図１】本考案に係る樋門開閉扉装置の第一実施形態を示す全体斜視図である。
【図２】本考案に係る樋門開閉扉装置が設置された樋門の河川水位が通常である場合を示す側面断面図である。
【図３】本考案に係る樋門開閉扉装置が設置された樋門の河川水位が異常である場合を示す側面断面図である。
【図４】本第一実施形態のダンパーを示す正面断面図である。
【図５】本第一実施形態のダンパーを示す側面断面図である。
【図６】開閉扉が開放する方向に揺動された場合における、本第一実施形態のダンパー内の粘性流体の流れを示したダンパー側面断面図である。
【図７】開閉扉が閉塞する方向に揺動された場合における、本第一実施形態のダンパー内の粘性流体の流れを示したダンパー側面断面図である。
【図８】本第二実施形態のダンパーを示す正面断面図である。
【図９】本第二実施形態のダンパーを示す側面断面図である。
【図１０】開閉扉が開放する方向に揺動された場合における、本第二実施形態のダンパー内の粘性流体の流れを示したダンパー側面断面図である。
【図１１】開閉扉が閉塞する方向に揺動された場合における、本第二実施形態のダンパー内の粘性流体の流れを示したダンパー側面断面図である。
【考案を実施するための形態】
【００１１】
以下、本考案に係る樋門開閉扉装置の第一実施形態について図面を用いて説明する。図１は、本第一実施形態の樋門開閉扉装置１における全体斜視図である。
【００１２】
本第一実施形態の樋門開閉扉装置１は、樋門の上部に設置される水平回転軸２と、この水平回転軸２により揺動自在に支持される開閉扉３と、この開閉扉３の開閉バランスを調整するバランスウエイト４と、水平回転軸２の端部に設けられて前記開閉扉３の開閉速度を調整するダンパー５Ａとから構成される。
【００１３】
以下に、本第一実施形態の樋門開閉扉装置１における各構成について詳細に説明する。
【００１４】
本第一実施形態における水平回転軸２は、開閉扉３を揺動自在に支持するための回転軸２１と、この回転軸２１を樋門の上部において略水平に保ちつつ回転自在に支持する軸受２２，２２とから構成されている。前記回転軸２１は、開閉扉３の荷重を支えうる強度が必要であり、本第一実施形態では炭素鋼円柱が用いられている。また、本第一実施形態における軸受２２，２２は、前記回転軸２１をその両端近傍の２カ所で支持しており、図示しないが、摩擦抵抗を低減させるためのベアリングが備えられている。
【００１５】
本第一実施形態における開閉扉３は、図１に示すように、樋門を閉塞可能な大きさの炭素鋼板により形成された扉本体３１と、この扉本体３１の上部に固定されているとともに上方へ延出されてその中途位置で前記回転軸２１に支持されている２本の扉支持アーム３２，３２とから構成されている。これら２本の扉支持アーム３２，３２は左右対象に形成されており、扉本体３１と連結される連結部３３，３３と、前記扉本体３１から上方に延出されて前記回転軸２１に支持されるとともにバランスウエイト４を保持するバランス調整部３４，３４とから構成されている。そして、各扉支持アーム３２，３２のバランス調整部３４，３４は前記回転軸２１を貫通させることで安定的に支持されている。前記バランス調整部３４，３４は前記連結部３３，３３に対して傾斜されており、開閉扉３が適度に開口した位置で静止バランスをとるように構成されている。
【００１６】
なお、本第一実施形態における扉本体３１と扉支持アーム３２，３２とは別体として形成し、ボルトにより一体的に固定しているが、これらの固定方法は適宜選択されるものであり、溶接等で固定してもよく、鋳造や鍛造等により一体成形してもよい。
【００１７】
また、回転軸２１と扉支持アーム３２，３２との固定方法も適宜選択されるものであり、溶接等で固定してもよい。
【００１８】
本第一実施形態におけるバランスウエイト４は、図１に示すように、前記２本のバランス調整部３４，３４の先端部にまたがって保持されている。また、図２および図３に示すように、開閉扉３は扉重心の開方向における回転モーメントと、ウエイト重心の閉方向における回転モーメントの釣り合ったところで静止するようになっている。そして、バランスウエイト４は開閉扉３を開く方向の回転モーメントを助け、開閉扉３の内外水位差のわずかな水圧加重により樋門を開くようになっている。また、河川の水位が上昇すると開閉扉３の浮力モーメントが閉方向に働き、樋門は全閉するようになっている。
【００１９】
なお、開閉扉３には、非常時に当該開閉扉３を強制的に開閉するためのモーターや油圧シリンダー等の駆動装置を備えてもよい。
【００２０】
次に、本第一実施形態におけるダンパー５Ａについて説明する。
【００２１】
本第一実施形態におけるダンパー５Ａは、図４および図５に示すように、水平回転軸２と一体的に固定されるダンパー用回転軸５１と、このダンパー用回転軸５１の周りに粘性流体を充填して密封する筒状ケース５２と、この筒状ケース５２内を回転方向に対して複数の空間に分ける隔壁５３と、ダンパー用回転軸５１の長手方向に沿って半径方向に凸設された複数の板状の抵抗翼５４と、この抵抗翼５４の厚さ方向に穿孔された流通孔５５Ａ，５５Ａと、開閉扉３の揺動される方向に応じて流通孔５５Ａ，５５Ａの開閉を行う逆流防止開閉蓋５６とから構成されている。
【００２２】
本第一実施形態におけるダンパー用回転軸５１は、図４に示すように、長手方向に多段状に形成されており、基端部には水平回転軸２に連結するためのキー溝５７が形成されており、水平回転軸２と一体的に回転可能とされている。また、筒状ケース５２内に収容される位置には、後述するような抵抗翼５４が周方向に間隔を隔てて設けられている。
【００２３】
なお、水平回転軸２とダンパー用回転軸５１との固定方法は特に限定されるものではなく、ボルト止めや溶接等、適宜選択されるものである。また、ダンパー用回転軸５１の各段の構成は上記の構成に限定されるものではなく、粘性流体のシール等を適当に行えば多段状に構成しなくてもよい。
【００２４】
本第一実施形態における筒状ケース５２は、ダンパー用回転軸５１、抵抗翼５４、および粘性流体を収容する略円筒状のケース本体５２１と、このケース本体５２１内にダンパー用回転軸５１を保持するとともに粘性流体を密閉する密閉蓋５２２とから構成される。
【００２５】
前記ケース本体５２１は、有底筒状に形成されており、その底部中央にはダンパー用回転軸５１を貫通させる貫通孔５２３が形成されており、前記ダンパー用回転軸５１を軸受Ｂにより回転自在に支持している。また、前記軸受Ｂの近傍には、ケース本体５２１と前記ダンパー用回転軸５１との密閉を確保するためのパッキンＰが取り付けられている。また、ケース本体５２１の外周には当該ダンパー５Ａを樋門の上部に固定するためのフランジ状固定部５８が形成されている。なお、本第一実施形態におけるダンパー５Ａは、ダンパー固定具６により樋門の上部に固定されている。
【００２６】
また、本第一実施形態における密閉蓋５２２は、図４に示すように、ケース本体５２１を密閉する蓋本体５２４と、この蓋本体５２４に備える軸受Ｂを押さえる軸受保持蓋５２５とから構成される。
【００２７】
前記蓋本体５２４は、円盤状に形成されており、ケース本体５２１の端部の開口部分に嵌め入れられる。前記蓋本体５２４の中央部にはダンパー用回転軸５１を貫通させる貫通孔５２３が形成されている。前記蓋本体５２４と前記ダンパー用回転軸５１との間には密閉を確保するためのパッキンＰが嵌められているとともに、前記ダンパー用回転軸５１の最端部には軸受Ｂが設けられている。
【００２８】
また、軸受保持蓋５２５は、軸受Ｂの収容された蓋本体５２４の最端部を密閉するために板状に形成されており、その内側には軸受Ｂを押さえるために凸状に形成された軸受押さえ部５２６が設けられている。なお、この軸受押さえ部５２６の高さは収容される軸受Ｂの形状により適宜選択されるものである。
【００２９】
本第一実施形態における隔壁５３は、筒状ケース５２の内周面からダンパー用回転軸５１の外周面近傍に至る高さに形成され、筒状ケース５２内をダンパー用回転軸５１の回転方向に対して複数の空間に分けるようにボルトで固定されている。また、隔壁５３とダンパー用回転軸５１との間には僅かな隙間を設けており、圧力がかかると粘性流体が流通できるようになっている。なお、筒状ケース５２内周面に設置される隔壁５３の数は、特に限定されるものではないが、少なくとも１つの隔壁５３を要し、本第一実施形態においては回転軸２１に対して軸対称に２つの隔壁５３を配置している。
【００３０】
本第一実施形態における抵抗翼５４は、粘性流体中を移動することにより受ける抵抗力により開閉扉３の開閉速度を制御するものであり、ダンパー用回転軸５１の外周面から筒状ケース５２の内周面近傍に至る高さに形成され、長手方向に沿って半径方向に凸設されている。また、抵抗翼５４と筒状ケース５２の内周面との間には僅かな隙間が設けられており、圧力がかかるとその隙間を通して粘性流体が流通できるようになっている。なお、抵抗翼５４の数は特に限定されるものではないが、少なくとも１つの抵抗翼５４を要し、本第一実施形態においては前記隔壁５３によって分けられた各部屋の中央位置にそれぞれ１枚の抵抗翼５４が配置されている。
【００３１】
なお、ダンパー用回転軸５１と抵抗翼５４との固定は特に限定されるものではなく、溶接等を適宜選択すればよい。また、鋳造や鍛造等により一体成形させてもよい。
【００３２】
本第一実施形態における流通孔５５Ａ，５５Ａは、抵抗翼５４の厚み方向に対して穿孔されている。本第一実施形態では、軸方向に沿って２つの流通孔５５Ａ，５５Ａが形成されている。なお、流通孔５５Ａの大きさ、数およびその配列は、開閉扉３の大きさや重さ、筒状ケース５２内に満たされる粘性流体の粘度、抵抗翼５４の大きさ等を考慮して任意に選択されるものである。
【００３３】
なお、流通孔５５Ａを設ける際の穿孔方法は、適宜選択されるものであり、ドリルを用いた切削加工やレーザー加工によるもののみではなく、鋳造等で抵抗翼５４を形成する時に備えるような一体成形される場合も含まれる。
【００３４】
逆流防止開閉蓋５６は、開閉扉３が開く方向に揺動されたときに流通孔５５Ａ，５５Ａを開放して粘性流体を流通させ、逆に開閉扉３が閉まる方向に揺動されたときに流通孔５５Ａ，５５Ａを閉塞して粘性流体を流通させないように構成されたものである。本第一実施形態における逆流防止開閉蓋５６は、流通孔５５Ａ，５５Ａの開閉を行う流通孔開閉蓋５６１と、この流通孔開閉蓋５６１を揺動自在に支持する蝶番５６２と、流通孔開閉蓋５６１の開き角度を制限する開き角制限ストッパー５６３とから構成されている。
【００３５】
本第一実施形態における流通孔開閉蓋５６１は、前記流通孔５５Ａ，５５Ａを閉塞可能な大きさに形成されているとともに、開閉扉３が開く方向に揺動されたときの回転方向とは逆側の出入口に蝶番５６２により固定されている。これにより、開閉扉３が開く方向へ揺動されたときに流通孔５５Ａ，５５Ａを開放するようになっている。
【００３６】
なお、逆流防止開閉蓋５６は上記構成に限定されるものではなく、例えば、プラスチック板等の可撓性素材を流通孔５５Ａ，５５Ａの出入口に対して開閉自在となるように閉塞し、粘性流体からの圧力により逆流防止開閉蓋５６が撓むことにより、流通孔５５Ａ，５５Ａを開閉するように構成してもよい。
【００３７】
本第一実施形態における開き角制限ストッパー５６３は、略半円形ドーナツ状に形成されており、一端が蝶番５６２に固定され、他端を流通孔開閉蓋５６１から適度に離して配置し、逆流防止開閉蓋５６が所定の角度以上に開放されたときに当接し、それ以上開放されるのを制限している。なお、開き角制限ストッパー５６３は、逆流防止開閉蓋５６が所定の角度以上に開かないような構成に適宜選択されるものであり、例えば、流通孔開閉蓋５６１と抵抗翼５４との間に紐を連設させて一定角度以上は開かないようにするなど、他の構成を採用してもよい。
【００３８】
本第一実施形態における粘性流体は、工業用油が用いられる。工業用油は開閉扉３の大きさや重さ、抵抗翼５４の数等を考慮して任意に選択されるものである。
【００３９】
なお、本第一実施形態のダンパー５Ａの組立において、ケース本体５２１と蓋本体５２４との間や蓋本体５２４と軸受保持蓋５２５との間に油紙を挟み入れて隙間を調節し、粘性流体の流出を防止している。
【００４０】
次に、本第一実施形態の樋門開閉扉装置１の作用について説明する。
【００４１】
図２に示すように河川の水位が通常時の場合、開閉扉３は、水圧加重により樋門を若干開いた状態でバランスが保たれ静止している。そして、水路から河川への排水量が増えると、水路側からの水圧加重とともに開閉扉３の浮力、およびバランスウエイト４による回転モーメントにより自動的に開閉扉３は大きく開き、大量の水を排水することが可能となる。一方、図３に示すように河川の水位が増した異常時の場合、開閉扉３は、河川から水圧加重を受けるとともに、開閉扉３の浮力およびバランスウエイト４による回転モーメントにより自動的に樋門を閉じ、河川の水が水路に逆流するのを防止する。
【００４２】
次に、開閉扉３が揺動した場合の、ダンパー５Ａの各構成の作用及び粘性流体の流れについて説明する。
【００４３】
まず、隔壁５３は筒状ケース５２を複数の空間に分けることにより、各空間同士の粘性流体の流通を制限している。ここで開閉扉３が水圧や風圧等により揺動すると、開閉扉３を支持している回転軸２１とともに、ダンパー用回転軸５１が回転する。そして、抵抗翼５４は粘性流体の流通が制限された空間内で移動することになる。
【００４４】
このとき、抵抗翼５４を挟んで回転方向にある粘性流体と、その回転方向とは逆の方向にある粘性流体との間には圧力差が生まれる。つまり、抵抗翼５４を挟んで回転方向側にある粘性流体は、隔壁５３と抵抗翼５４に挟まれて圧力が高くなる。一方、抵抗翼５４を挟んで回転方向の逆側にある粘性流体は隔壁５３と抵抗翼５４により膨張させられて圧力が低くなる。流体は圧力が高い方から低い方へと流れようとするため、筒状ケース５２内の粘性流体は抵抗翼５４の回転方向側からその逆方向へと流れようとする力が発生する。
【００４５】
まず、開閉扉３が開く方向に揺動されたとき、すなわち、図６において、ダンパー用回転軸５１が時計方向に回転するとき、粘性流体は矢印の方向に流れる。
【００４６】
具体的には、開閉扉３が開く方向に揺動された場合、抵抗翼５４の回転方向に対して背面側に設けられた流通孔開閉蓋５６１は、抵抗翼５４の回転方向側からその逆方向へ流れる粘性流体の圧力により押され、流通孔５５Ａ，５５Ａを開放する。粘性流体は開放された流通孔５５Ａ，５５Ａを通り抵抗翼５４の回転方向側から反対側の空間へ容易に流入することになる。
【００４７】
したがって、開閉扉３が開く方向に揺動されたときは、抵抗翼５４に作用する粘性流体からの抵抗力が小さくなり、例えば、排水量が増加して、開閉扉３が大きく開放される際に大きな抵抗になることはない。そのため、一般的な樋門開閉扉装置における開閉扉の自動開閉の機能を損なうことはない。
【００４８】
次に、開閉扉３が閉じる方向に揺動されたときついて説明する。図７に示すように、開閉扉３が閉じる方向に揺動されてダンパー用回転軸５１が反時計方向に回転するとき、粘性流体は矢印の方向に流れる。
【００４９】
具体的には、粘性流体が抵抗翼５４の回転方向の背面側にある空間から回転方向の空間へと流れようとする。この場合、粘性流体は流通孔開閉蓋５６１を押して流通孔５５Ａ，５５Ａを閉塞するように流れる。そのため粘性流体は流通孔５５Ａ，５５Ａを通り流れることができなくなる。ただし、粘性流体は、隔壁５３とダンパー用回転軸５１との間に設けた僅かな隙間や、抵抗翼５４と筒状ケース５２の内周面との間に設けた僅かな隙間を通って圧力の高い空間から低い空間へとゆっくりと流れる。したがって、開閉扉３が開く方向に揺動されたときは、開閉扉３はゆっくりと閉まるようになる。
【００５０】
以上のような第一実施形態の樋門開閉扉装置１によれば、以下の効果が得られる。
１．開閉扉３の開放時と閉塞時とで異なる抵抗力により、開閉扉３の開閉速度を調節することができる。特に開閉扉３を開くときには抵抗を小さくして開放速度を速くし、開閉扉３を閉めるときには抵抗を大きくして閉塞速度を遅くすることができる。これにより、開閉扉３が風力により大きく開いても、その後ゆっくり閉まるため、開閉扉３が樋門に衝突して大きな衝撃音を発生させたり、損傷してしまうのを防止できる。
２．ダンパー５Ａが設けられていても開閉扉３の自動開閉の機能を損なうことはない。
３．ダンパー５Ａの抵抗力により開閉扉３が閉じる方向に揺動された場合、樋門に打ち付けられることがない。
【００５１】
次に、本考案に係る樋門開閉扉装置の第二実施形態について図を用いて説明する。図８は本第二実施形態のダンパー５Ｂを示す正面断面図であり、図９はその側面断面図である。なお、本第二実施形態の構成のうち前述した第一実施形態の構成と同一若しくは同等の構成については同一の符号を付し、再度の説明を省略する。
【００５２】
本第二実施形態の樋門開閉扉装置１は、樋門の上部に設置される水平回転軸２と、この水平回転軸２により揺動自在に支持される開閉扉３と、この開閉扉３の開閉バランスを調整するバランスウエイト４と、水平回転軸２の端部に設けられるダンパー５Ｂとから構成される。
【００５３】
本第二実施形態におけるダンパー５Ｂは、ダンパー用回転軸５１と、筒状ケース５２と、隔壁５３と、抵抗翼５４と、流通孔５５Ｂと、この流通孔５５Ｂ内において長手方向に摺動可能な筒状蓋本体５９と、この筒状蓋本体５９を付勢する閉塞用付勢バネ６０とから構成されている。
【００５４】
本第二実施形態における抵抗翼５４には、正面略中央に１つの流通孔５５Ｂが穿孔されている。また、この流通孔５５Ｂ内には、開閉扉３が開く際に回転する方向側に閉塞用付勢バネ６０を収容するバネ収容溝６１が設けられている。
【００５５】
本第二実施形態における筒状蓋本体５９は、有底筒状に形成されているとともに、その底面を外側にフランジ状に拡げて流通孔５５Ｂを閉塞しうるフランジ状蓋部６２と、このフランジ状蓋部６２と反対側の端部外周面に螺合されて閉塞用付勢バネ６０を掛止させるリング状のバネ係止部６３とを備えている。また、このフランジ状蓋部６２の近傍における筒状側面には、粘性流体を流通可能な抵抗低減孔６４が形成されている。
【００５６】
この筒状蓋本体５９は、開閉扉３が閉まるときに回転する方向側にフランジ状蓋部６２が配設されるように流通孔５５Ｂに摺動可能に収納される。
【００５７】
本第二実施形態における閉塞用付勢バネ６０は、弦巻バネからなり、筒状蓋本体５９の外周面に嵌合されるようになっている。そして、前記閉塞用付勢バネ６０は抵抗翼５４のバネ収容溝６１に収容されるとともに、バネ係止部６３によって係止され、フランジ状蓋部６２が流通孔５５Ｂを閉塞する方向に付勢している。
【００５８】
なお、本第二実施形態における閉塞用付勢バネ６０は、縮められた状態から延びようとする付勢力により筒状蓋本体５９を付勢しているが、これに限定されるものではなく、縮む付勢力により筒状蓋本体５９を付勢してもよい。この場合、流通孔５５Ｂにおけるバネ収容溝６１の形成位置はフランジ状蓋部６２側になる。
【００５９】
次に、本第二実施形態の樋門開閉扉装置１におけるダンパー５Ｂの作用について説明する。
【００６０】
まず、開閉扉３が開く方向に揺動されたときについて説明する。この場合、粘性流体は図１０に示すような矢印の方向に流れる。
【００６１】
具体的には、開閉扉３が開く方向に揺動された場合、抵抗翼５４の回転方向側の空間からその背面方向へと流れようとする粘性流体に押され、フランジ状蓋部６２が閉塞用付勢バネ６０の付勢力に抗して摺動されることにより、抵抗低減孔６４が開いて粘性流体が流通可能になる。そして、粘性流体は、筒状蓋本体５９内を通り、開放された抵抗低減孔６４を抜けて抵抗翼５４の回転方向に対して背面側の空間内へ流れ込む。これにより、抵抗翼５４にかかる回転抵抗を低減する。
【００６２】
一方、開閉扉３が閉じる方向に揺動されたときについて説明する。このとき、粘性流体は、図１１に示すような矢印の方向に流れる。
【００６３】
具体的には、フランジ状蓋部６２は、閉塞用付勢バネ６０の付勢力とともに、回転する際に粘性流体から受ける抵抗力によって流通孔５５Ｂを閉塞しており、抵抗低減孔６４は流通孔５５Ｂ内に収容された状態で閉じている。そのため、粘性流体は隔壁５３とダンパー用回転軸５１との間に設けた僅かな隙間や、抵抗翼５４と筒状ケース５２の内周面との間に設けた僅かな隙間からゆっくりと流れることになる。
【００６４】
したがって、本第二実施形態に示す上記作用により、開閉扉３が開く際にはダンパー５Ｂの抵抗を小さくして開放速度を速め、開閉扉３が閉まる際にはダンパー５Ｂの抵抗を大きくして閉塞速度を遅くすることができる。
【００６５】
なお、本考案に係る樋門開閉扉装置１は、前述した各実施形態に限定されるものではなく、適宜変更することができる。
【００６６】
例えば、ダンパー５は、水平回転軸２の回転軸２１のどちらか、一方に付いていてもよく、両方に付いていてもよい。
【００６７】
また、河川等の野外で使用されることを考慮して、樋門開閉扉装置１の外表面には錆止め加工を施してもよい。
【符号の説明】
【００６８】
１  樋門開閉扉装置
２  水平回転軸
２１  回転軸
２２  軸受
３  開閉扉
３１  扉本体
３２  扉支持アーム
３３  連結部
３４  バランス調整部
４  バランスウエイト
５Ａ，５Ｂ  ダンパー
５１  ダンパー用回転軸
５２  筒状ケース
５２１  ケース本体
５２２  密閉蓋
５２３  貫通孔
５２４  蓋本体
５２５  軸受保持蓋
５２６  軸受押さえ部
５３  隔壁
５４  抵抗翼
５５Ａ，５５Ｂ  流通孔
５６  逆流防止開閉蓋
５６１  流通孔開閉蓋
５６２  蝶番
５６３  開き角制限ストッパー
５７  キー溝
５８  フランジ状固定部
５９  筒状蓋本体
６０  閉塞用付勢バネ
６１  バネ収容溝
６２  フランジ状蓋部
６３  バネ係止部
６４  抵抗低減孔
６  ダンパー固定具
Ｂ  軸受
Ｐ  パッキン
【図１】
0003149416.tif 000003
【図２】
0003149416.tif 000004
【図３】
0003149416.tif 000005
【図４】
0003149416.tif 000006
【図５】
0003149416.tif 000007
【図６】
0003149416.tif 000008
【図７】
0003149416.tif 000009
【図８】
0003149416.tif 000010
【図９】
0003149416.tif 000011
【図１０】
0003149416.tif 000012
【図１１】
0003149416.tif 000013